(57)【特許請求の範囲】
【請求項１】
装着者の親指を受け入れる親指部を備えたゴルフ用手袋であって、
前記親指部は、装着者の親指の甲側に当接する親指甲部と、装着者の親指の掌側に当接する親指掌部とを含み、
前記親指部は、少なくとも前記親指甲部が伸縮異方性の材料で構成されており、該異方性の材料は伸びやすい方向と伸びにくい方向が略直交しており、
前記親指甲部において、前記材料の伸びにくい方向が、該親指の中心線に対して該親指の先端側が人差指に近づく方向に３０度から６０度傾斜した方向に設定された、ゴルフ用手袋。
【請求項２】
装着者の親指を受け入れる親指部を備えたゴルフ用手袋であって、
前記親指部は、装着者の親指の甲側に当接する親指甲部と、装着者の親指の掌側に当接する親指掌部とを含み、
前記親指部は、少なくとも前記親指掌部が伸縮異方性の材料で構成されており、該異方性の材料は伸びやすい方向と伸びにくい方向が略直交しており、
前記親指掌部において、前記材料の伸びにくい方向が、親指中心線に対して該親指の先端側が人差指から遠ざかる方向に３０度から６０度傾斜した方向に設定された、ゴルフ用手袋。
【請求項３】
装着者の親指を受け入れる親指部を備えたゴルフ用手袋であって、
前記親指部は、装着者の親指の甲側に当接する親指甲部と、装着者の親指の掌側に当接する親指掌部とを含み、
前記親指部は、少なくとも前記親指甲部および前記親指掌部が伸縮異方性の材料で構成されており、該異方性の材料は伸びやすい方向と伸びにくい方向が略直交しており、
前記親指甲部において、前記材料の伸びにくい方向が、該親指の中心線に対して該親指の先端側が人差指に近づく方向に３０度から６０度傾斜した方向に設定され、かつ、
前記親指掌部において、前記材料の伸びにくい方向が、親指中心線に対して該親指の先端側が人差指から遠ざかる方向に３０度から６０度傾斜した方向に設定された、ゴルフ用手袋。
【請求項４】
装着者の親指を受け入れる親指部を備えたゴルフ用手袋であって、
前記親指部は、装着者の親指の甲側に当接する親指甲部と、装着者の親指の掌側に当接する親指掌部とを含み、
前記親指部は、少なくとも前記親指甲部および前記親指掌部が伸縮異方性の材料で構成されており、該異方性の材料は伸びやすい方向と伸びにくい方向が略直交しており、
前記親指甲部において、前記材料の伸びにくい方向が、該親指の中心線に対して該親指の先端側が人差指に近づく方向に３０度から６０度傾斜した方向に設定され、かつ、
前記親指掌部において、前記材料の伸びにくい方向が、親指中心線に対して略平行に設定された、ゴルフ用手袋。
【請求項５】
前記親指甲部において、前記材料の伸びにくい方向が、該親指の中心線に対して該親指の先端側が人差指に近づく方向に４０度から５０度傾斜した方向に設定された、請求項１、請求項３または請求項４のいずれかに記載のゴルフ用手袋。
【請求項６】
前記親指掌部において、前記材料の伸びにくい方向が、親指中心線に対して該親指の先端側が人差指から遠ざかる方向に４０度から５０度傾斜した方向に設定された、請求項２または請求項３に記載のゴルフ用手袋。
【請求項７】
装着者の親指を受け入れる親指部を備えたスポーツ用手袋であって、
前記親指部は、装着者の親指の甲側に当接する親指甲部と、装着者の親指の掌側に当接する親指掌部とを含み、
前記親指部は、少なくとも前記親指甲部および前記親指掌部が伸縮異方性の材料で構成されており、該異方性の材料は伸びやすい方向と伸びにくい方向が略直交しており、
前記親指甲部において、前記材料の伸びにくい方向が、該親指の中心線に対して略直交する方向に設定され、かつ、
前記親指掌部において、前記材料の伸びにくい方向が、親指中心線に対して該親指の先端側が人差指から遠ざかる方向に３０度から６０度傾斜した方向に設定された、スポーツ用手袋。
【請求項８】
前記親指掌部において、前記材料の伸びにくい方向が、親指中心線に対して該親指の先端側が人差指から遠ざかる方向に４０度から５０度傾斜した方向に設定された、請求項７に記載のスポーツ用手袋。
【請求項９】
前記親指部のねじれを抑制するねじれ抑制部が前記親指甲部上に設けられ、
前記ねじれ抑制部は、前記親指部の中心線に対して該親指の先端側が人差指に近づく方向に３０度から６０度傾斜した方向に延在する、請求項１および請求項３から請求項６のいずれかに記載のゴルフ用手袋。
【請求項１０】
前記親指部のねじれを抑制するねじれ抑制部が前記親指甲部上に設けられ、
前記ねじれ抑制部は、前記親指甲部における前記材料の伸びにくい方向に沿って延在する、請求項１および請求項３から請求項６のいずれかに記載のゴルフ用手袋。
【発明の詳細な説明】
【技術分野】
【０００１】
本発明は、ゴルフ用手袋およびスポーツ用手袋に関し、特に、ゴルファーが装着するゴルフ用手袋、その他一般的なスポーツに用いるスポーツ用手袋に関する。
【背景技術】
【０００２】
ゴルフなどのスポーツ時に着用する手袋の素材として、天然皮革の羊革とともに、主に不織布で構成された人工皮革や、基布を織物や編物で構成し、その表面にウレタン等の樹脂をコーティング、あるいは貼り付けなどした合成皮革が広く用いられている。
【０００３】
下記の非特許文献１には、人工皮革の一般的な製造工程が示されている。非特許文献１によれば、人工皮革の製造工程において、シートが一方向にのみ引っ張り続けられるため、最終的に縦横で伸びやすさに差が生じるとされている。
【０００４】
図１２，図１３は、各々、生地寸法が幅２０ｍｍ、長さ１００ｍｍである手袋用材料の３０％伸び、５０％伸びのための必要張力（Ｎ）を示す図である。なお、図１２，図１３中の『合成皮革』は、代表的な手袋用合成皮革を示し、図１２，図１３中の『人工皮革』は、代表的な手袋用の人工皮革を示す。
【０００５】
図１２，図１３に示すように、合成皮革、人工皮革ともに、縦方向（ロールの延伸方向）よりも横方向（ロールの幅方向）に伸びやすいという傾向が見られる。すなわち、縦方向には相対的に大きな力を作用させないと、皮革を所定量伸ばすことはできない。
【０００６】
ところで、特許文献１（特開２００２−３３１０６２号公報）には、親指部（親指袋）のねじれを抑えることができるゴルフ手袋が示されている。
【０００７】
さらに、特許文献２（実開昭５６−１５５８７０号公報）には、親指袋の掌部生地に甲部の側に折り曲げる折曲片を一体に裁断し、該折曲片を甲部生地に縫着した手袋が示されている。
【先行技術文献】
【特許文献】
【０００８】
【特許文献１】特開２００２−３３１０６２号公報
【特許文献２】実開昭５６−１５５８７０号公報
【非特許文献】
【０００９】
【非特許文献１】（株）クラレ、［平成２１年６月２６日検索］、インターネット＜ＵＲＬ：http://www.kuraray.co.jp/products/question/fiber/leather.html＞
【発明の概要】
【発明が解決しようとする課題】
【００１０】
特許文献１に記載の手袋では、たとえばゴルフクラブのスイング時などに親指部のねじれを必ずしも十分に抑制することができない。親指部がねじれた結果、親指部の背側と親指部の腹側とを縫着する縫着線が指とグリップとの間に介在することになり、装着感が悪化する。
【００１１】
特許文献２には、手甲部材と手掌部材とを縫着して親指袋を形成する手袋のうち、縫着線の一部が親指甲部側に配置されている手袋が開示されている。しかし、縫着線は連続する一本しか設けられていないから、親指のねじれ抑制には十分ではなく、さらに手掌部材を手甲部材に重ねて縫着するから装着感にも問題があった。
【００１２】
本発明は、上記のような問題に鑑みてなされたものであり、本発明の目的は、親指部のねじれが抑制された手袋（ゴルフ用手袋またはスポーツ用手袋）を提供することにある。
【課題を解決するための手段】
【００１３】
本発明は、ゴルファーが装着するゴルフ用手袋、および、野球、テニス等、主にスイングを伴なうその他のスポーツ時に用いるスポーツ用手袋に関するものである。
【００１４】
本発明は、端的に言えば、『伸びやすい方向』と『伸びにくい方向』とを有する『伸縮異方性』の材料で手袋を構成し、上記『伸びにくい方向』を親指中心線に対して交差させるものである。より具体的には、親指部において、上記『伸びにくい方向』を親指中心線に対して交差させるものである。
【００１５】
なお、本願明細書において、『中指中心線』および『親指中心線』とは、各々、手袋を装着したときの中指の中心線および親指の中心線を意味する。より具体的には、『中指中心線』は、手袋を装着し、さらに人差指から小指までの４本の指を閉じたときの中指の中心線を意味する。
【００１６】
本発明に係るゴルフ用手袋およびスポーツ用手袋は、装着者の親指を受け入れる親指部を備える。親指部は、装着者の親指の甲側に当接する親指甲部と、装着者の親指の掌側に当接する親指掌部とを含む。
【００１７】
上記ゴルフ用手袋の１つの実施態様では、親指部は、少なくとも親指甲部が伸縮異方性の材料で構成されており、該異方性の材料は伸びやすい方向と伸びにくい方向が略直交しており、親指甲部において、材料の伸びにくい方向が、該親指の中心線に対して該親指の先端側が人差指に近づく方向に３０度から６０度傾斜した方向に設定される。
【００１８】
上記ゴルフ用手袋の他の実施態様では、親指部は、少なくとも親指掌部が伸縮異方性の材料で構成されており、該異方性の材料は伸びやすい方向と伸びにくい方向が略直交しており、親指掌部において、材料の伸びにくい方向が、親指中心線に対して該親指の先端側が人差指から遠ざかる方向に３０度から６０度傾斜した方向に設定される。
【００１９】
上記ゴルフ用手袋のさらに他の実施態様では、親指部は、少なくとも親指甲部および親指掌部が伸縮異方性の材料で構成されており、該異方性の材料は伸びやすい方向と伸びにくい方向が略直交しており、親指甲部において、材料の伸びにくい方向が、該親指の中心線に対して該親指の先端側が人差指に近づく方向に３０度から６０度傾斜した方向に設定され、かつ、親指掌部において、材料の伸びにくい方向が、親指中心線に対して該親指の先端側が人差指から遠ざかる方向に３０度から６０度傾斜した方向に設定される。
【００２０】
上記各実施態様によれば、装着者の親指の腹側と背側とで、上述の如く材料の『伸びにくい方向』を各々設定することにより、スイング時の親指部のねじれ方向に対して伸びにくい親指部を形成することができる。
【００２１】
なお、ここで言う『親指部のねじれ方向』とは、右利きゴルファーが装着する左手用の手袋であれば、親指の先端側から見て時計回り方向のねじれを意味し、左利きゴルファーが装着する右手用の手袋であれば、親指の先端側から見て反時計回り方向のねじれを意味する。このねじれは、ゴルフクラブを両手でグリップするとき、利き腕が手袋を装着した手の親指を人差指側に押し付け、手甲側へ捻るようにして握るために生じる。また、ゴルフクラブのヘッド重心がシャフト軸からずれていることでスイング時にゴルフクラブに生じる捻りモーメントが手袋を装着した手の親指の腹側を捻るように伝わることでも生じる。本発明に係るゴルフ用手袋は、上記方向のねじれが抑制されるものである。
【００２２】
上記ゴルフ用手袋のさらに他の実施態様では、親指部は、少なくとも親指甲部および親指掌部が伸縮異方性の材料で構成されており、該異方性の材料は伸びやすい方向と伸びにくい方向が略直交しており、親指甲部において、材料の伸びにくい方向が、該親指の中心線に対して該親指の先端側が人差指に近づく方向に３０度から６０度傾斜した方向に設定され、かつ、親指掌部において、材料の伸びにくい方向が、親指中心線に対して略平行に設定される。
【００２３】
上記実施態様によれば、親指の背側における材料の『伸びにくい方向』の設定により、
先に述べたとおり、スイング時の親指部のねじれを抑制することができる。さらに、親指の腹側における材料の『伸びにくい方向』の設定により、親指部は親指の長手方向に伸びにくくなるため、手袋の装着時の指入れが行ないやすくなる。
【００２４】
上記スポーツ用手袋の１つの実施態様では、親指部は、少なくとも親指甲部および親指掌部が伸縮異方性の材料で構成されており、該異方性の材料は伸びやすい方向と伸びにくい方向が略直交しており、親指甲部において、材料の伸びにくい方向が、該親指の中心線に対して略直交する方向に設定され、かつ、親指掌部において、材料の伸びにくい方向が、親指中心線に対して該親指の先端側が人差指から遠ざかる方向に３０度から６０度傾斜した方向に設定される。
【００２５】
上記実施態様によれば、親指の腹側における材料の『伸びにくい方向』の設定により、先に述べたとおり、スイング時の親指部のねじれを抑制することができる。さらに、親指の背側における材料の『伸びにくい方向』の設定により、グリップ対象に対して人差指から小指を略垂直に交差させてグリップするとき（たとえば野球のバットを握るとき）に、装着者の親指の長手方向と材料が『伸びやすい方向』とを略一致させることができる。したがって、グリップ時に親指部が伸びやすくなり、親指が曲げやすくなる。
【００２６】
上記ゴルフ用手袋のさらに他の実施態様では、親指部のねじれを抑制するねじれ抑制部が前記親指甲部上に設けられている。これにより、親指部のねじれをさらに効果的に抑制することが可能である。
【００２７】
１つの例として、ゴルフ用手袋において、ねじれ抑制部は、親指部の中心線に対して該親指の先端側が人差指に近づく方向に３０度から６０度傾斜した方向に延在する。
【００２８】
他の例として、ゴルフ用手袋において、ねじれ抑制部は、親指甲部における材料の伸びにくい方向に沿って延在する。
【００２９】
なお、上述した『３０度から６０度』の範囲は、より好ましくは『４０度から５０度』の範囲であり、最も好ましくは、４５度程度である。
【発明の効果】
【００３０】
本発明によれば、手袋（ゴルフ用手袋またはスポーツ用手袋）において、親指部のねじれを抑制することができる。
【００３１】
なお、本発明の上述の効果は、当て布等の部材を追加しなくとも得られるものであるが、さらに、当て布等の部材を付加することにより、親指部のねじれを抑制などに関して、相乗的により高い効果を得ることもできる。
【図面の簡単な説明】
【００３２】
【図１】本発明の実施の形態１，２に係るゴルフ用手袋を手の甲側から見た状態を示す図である。
【図２】本発明の実施の形態１に係るゴルフ用手袋における手甲部を構成する手甲部材を表面側（装着者の手に接触しない側）から見た状態を示す図である。
【図３】本発明の実施の形態１に係るゴルフ用手袋における手掌部を構成する手掌部材を表面側（装着者の手に接触しない側）から見た状態を示す図である。
【図４】本発明の実施の形態１に係るゴルフ用手袋における親指部を構成する親指部材を表面側（装着者の手に接触しない側）から見た状態を示す図である。
【図５】本発明の実施の形態２に係るゴルフ用手袋における手甲部および手掌部を構成する本体部材を表面側（装着者の手に接触しない側）から見た状態を示す図である。
【図６】本発明の実施の形態２に係るゴルフ用手袋における親指部を構成する親指部材を表面側（装着者の手に接触しない側）から見た状態を示す図である。
【図７】本発明の１つの実施例に係るゴルフ用手袋の繰り返しの打球試験を行なった後の状態を示す図である。
【図８】比較例に係るゴルフ用手袋の繰り返しの打球試験を行なった後の状態を示す図である。
【図９】親指部における『伸びにくい方向』の配向角とねじれ剛性との関係を示す図である。
【図１０】ヒトの手の骨を示した透過図である。
【図１１】中指中心線に対する角度の規定を説明するための模式図である。
【図１２】手袋用材料の３０％伸びのための必要張力（Ｎ）を示す図である。
【図１３】手袋用材料の５０％伸びのための必要張力（Ｎ）を示す図である。
【図１４】本発明の実施の形態３に係るゴルフ用手袋を示す図である。
【図１５】本発明の実施の形態３に係るゴルフ用手袋におけるステッチの配置について説明するための図である。
【図１６】本発明の実施の形態３に係るゴルフ用手袋の変形例を示す図である。
【図１７】本発明の実施例に係るゴルフ用手袋に「ねじれ抑制部」としてのステッチを付加した手袋で繰り返しの打球試験を行なった後の状態を示す図である。
【図１８】本発明の実施例に係るゴルフ用手袋であって、「ねじれ抑制部」としてのステッチを付加しない手袋で繰り返しの打球試験を行なった後の状態を示す図である。
【図１９】図１７，図１８に示す手袋に対する比較例に係るゴルフ用手袋で繰り返しの打球試験を行なった後の状態を示す図である。
【図２０】本発明の実施例に係るゴルフ用手袋に「ねじれ抑制部」としてのステッチを付加した手袋で繰り返しの打球試験を行なった後の状態を示す図（その２）である。
【図２１】本発明の実施例に係るゴルフ用手袋であって、「ねじれ抑制部」としてのステッチを付加しない手袋で繰り返しの打球試験を行なった後の状態を示す図（その２）である。
【図２２】図２０，図２１に示す手袋に対する比較例に係るゴルフ用手袋で繰り返しの打球試験を行なった後の状態を示す図である。
【発明を実施するための形態】
【００３３】
以下に、本発明の実施の形態について説明する。なお、同一または相当する部分に同一の参照符号を付し、その説明を繰返さない場合がある。
【００３４】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、特に記載がある場合を除き、後述の（実施の形態１），（実施の形態２），（実施の形態３）および（ゴルフ用以外の手袋）の構成を適宜組合わせることは、当初から予定されている。
【００３５】
（実施の形態１）
図１は、実施の形態１に係るゴルフ用手袋を手の甲側から見た状態を示す図である。図１を参照して、本実施の形態に係るゴルフ用手袋１は、装着者の手の甲に当接する手甲部２と、装着者の掌に当接する手掌部３（図３参照）と、装着者の指の側面上に位置し、手甲部２および手掌部３に縫着される襠材４とを有する。ここで、「掌」とは手首から先の内側の面（指を含む）を意味し、「手の甲」とは掌の反対側を意味する。
【００３６】
ゴルフ用手袋１には、装着者の親指、人差指、中指、薬指および小指をそれぞれ受け入れる親指部１０、人差指部２０、中指部３０、薬指部４０および小指部５０がそれぞれ形成されている。
【００３７】
図２，図３は、ゴルフ用手袋１の手甲部２および手掌部３を各々構成する手甲部材２Ａおよび手掌部材３Ａを示す図である。図２，図３を参照して、手甲部材２Ａおよび手掌部材３Ａは、ゴルフ用手袋１における手甲部２および手掌部３の主要部分を構成する。
【００３８】
図４は、ゴルフ用手袋１の親指部１０を構成する親指部材１０Ａ，１０Ｂを示す図である。図４を参照して、親指部１０の手甲側（指の背側）は親指部材１０Ａにより構成され、親指部１０の手掌側（指の腹側）は親指部材１０Ｂにより構成される。
【００３９】
なお、図１〜図４に示す例は、右利きのゴルファーが装着する左手用の手袋である。当然のことながら、左利きのゴルファーであれば、同様の手袋を右手にすることになる。
【００４０】
本実施の形態に係るゴルフ用手袋は、人工皮革または合成皮革により構成される。人工皮革や合成皮革は、製法上ある特定の方向には伸びやすく、それに直交する方向には伸びにくいという性質（伸縮異方性）を有する。
【００４１】
本実施の形態に係るゴルフ用手袋１は、手甲部材２Ａ、手掌部材３Ａ、および親指部材１０Ａ，１０Ｂにおける『伸びやすい方向』『伸びにくい方向』の設定に特徴を有するものである。
【００４２】
なお、本実施の形態では、指の中心線との交差角度で上記方向を定義する。図２，図３中の『Ａ』は中指の中心線であり、図４中の『Ｂ』は親指の中心線である。中指の中心線、および親指の中心線とは、図１０に示すように、各々、中指、親指を伸ばしたときの各指の骨の中心線を意味する。
【００４３】
一般的に、人工皮革および合成皮革における『伸びやすい方向』と『伸びにくい方向』とは、互いに略直交する。本実施の形態では、手甲部材２Ａおよび手掌部材３Ａについては、中指の中心線『Ａ』と『伸びにくい方向』との交差角度を規定し、親指部１０については、親指の中心線『Ｂ』と『伸びにくい方向』との交差角度を規定する。
【００４４】
すなわち、図１１（ａ）に示すように、手甲部２（手甲部材２Ａ）については、中指の中心線『Ａ』に対して指の先端側が親指に近づく方向に傾く角度を『θ１』と定義するとともに、図１１（ｂ）に示すように、手掌部３（手掌部材３Ａ）についても、中指の中心線『Ａ』に対して指の先端側が親指に近づく方向に傾く角度を『θ２』と定義する。
【００４５】
また、図４に示すように、親指部１０の手甲側（指の背側）については、親指の中心線『Ｂ』に対して指の先端側が人差指に近づく方向に傾く角度を『α１』と定義するとともに、親指部１０の手掌側（指の腹側）についても、親指の中心線『Ｂ』に対して指の先端側が人差指に近づく方向に傾く角度を『α２』と定義する。
【００４６】
上記のように定義された『θ１』『θ２』『α１』『α２』について、本願発明者らは、本実施の形態に係るゴルフ用手袋１として、以下のようなバリエーションを用意した。なお、下記の表１，表２では、従来例も併記している。
【００４７】
【表１】
0005466279.tif 000002
【００４８】
【表２】
0005466279.tif 000003
【００４９】
表１を参照して、従来例では『θ１』および『θ２』がともに０度とされているのに対し、本実施の形態に係るゴルフ用手袋１では、手甲部２の『θ１』は、略４５度とされている。このようにすることで、上記『伸びにくい方向』をグリップ時のシャフトの軸方向と略平行にすることができる。この結果、ゴルフクラブのグリップ時に、装着者の人差指から小指のそれぞれの指の長手方向と材料が『伸びやすい方向』とを略一致させることができる。したがって、グリップ時に手甲部が伸びやすくなり、手甲側のつっぱり感が低減される。
【００５０】
さらに、表１に示されるように、従来例では『θ２』も０度とされているのに対し、本実施の形態に係るゴルフ用手袋１では、『θ１』が略４５度のときにおいて、手掌部３の『θ２』は、略４５度、略−４５度、または０度とされている。
【００５１】
上記のように、『θ２』を略−４５度に設定することで、インパクト時の掌の中でのグリップの回転に伴なう手掌部の伸びを抑制することができる。すなわち、インパクト時の打点のブレにより、ヘッドがねじれ、それに伴ない掌の中でグリップが回転し、手掌部３も回転方向に伸びやすくなる傾向にあるが、この意図しない伸びを抑制可能である。
【００５２】
また、『θ２』を略４５度に設定することで、グリップ時のシャフトの軸方向に対して略平行になるように『伸びにくい方向』を設定することができるので、スイング中の遠心力に伴なう手掌部３の伸びを抑制することができる。すなわち、スイング中には、クラブが手からすっぽ抜けようとする方向の遠心力が作用し、手袋の手掌部３も掌からグリップが抜ける方向に伸びやすくなる傾向にあるが、この意図しない伸びを抑制可能である。
【００５３】
また、『θ２』を０度に設定することで、手掌部３は人差指から小指のそれぞれの指の長手方向に伸びにくくなるため、手袋の装着時の指入れが行ないやすくなる。
【００５４】
表２を参照して、従来例では『α１』，『α２』がともに０度とされているのに対し、本実施の形態に係るゴルフ用手袋１では、親指の背側の『α１』は、略４５度とされている。このようにすることで、スイング時にねじれが生じる方向に伸びにくい構成とすることができるため、スイング時の親指部のねじれ方向に対して伸びにくい親指部を形成する
ことができる。
【００５５】
さらに、表１に示されるように、従来例では『α２』も０度とされているのに対し、本実施の形態に係るゴルフ用手袋１では、『α１』が略４５度の場合の親指の腹側の『α２』は、０度の場合もあるものの、略−４５度とされている。
【００５６】
上記のように、『α２』を略−４５度とすることで、スイング時の親指部のねじれ方向に対してさらに伸びにくい親指部を形成することができる。他方、『α２』を従来と同じように０度とすることで、親指部１０はその長手方向に伸びにくくなるため、手袋の装着時の指入れが行ないやすくなる。
【００５７】
上記の例では、『θ１』『θ２』『α１』『α２』の絶対値がゼロか略４５度の例についてのみ示しているが、『伸びない方向』の配向角度は、上記の値に限定されるべきものではない。本願発明者が検討したところ、図９に示すように、配向角が３０〜６０度（より好ましくは４０〜５０度）のときは、配向角が略４５度の場合と同様に、高いねじれ剛性を示している。したがって、『α１』『α２』の値の範囲は、たとえば３０〜６０度（より好ましくは４０〜５０度）程度の範囲内で適宜変更可能である。また、『θ１』『θ２』についても、上記と同様に、３０〜６０度（より好ましくは４０〜５０度）程度の範囲内で適宜変更可能である。
【００５８】
なお、図９に示すねじれ剛性は、『伸びにくい方向』の弾性率を『伸びやすい方向』の弾性率の５倍と仮定して計算したものである。
【００５９】
本願発明者らは、上記『α１』『α２』を設定することによる効果の確認を行なうため、本実施の形態に係るゴルフ用手袋１（α１＝４５度、α２＝−４５度）と、従来のゴルフ用手袋（α１＝α２＝０度）とを用いて、１０００回の試打を行なった後、親指部の先端の汚れに注目して両手袋を観察した。その結果を図７（本実施の形態）および図８（従来例）に示す。なお、図７，図８は、左利きのゴルファーが右手に装着する手袋における親指部先端を示す。
【００６０】
図７，図８を参照して、本実施の形態（図７）および従来例（図８）ともに、腹側部分１０１に汚れが付着している。これは、親指部１０の腹側がグリップに押し付けられることによって付着するものである。
【００６１】
本実施の形態（図７）および従来例（図８）は、以下の点で異なる傾向を示す。すなわち、本実施の形態においては、上記汚れは、腹側部分１０１に略限定して形成されている（図７）のに対し、従来例においては、上記汚れは、腹側部分１０１から縫着線１０３を越えて背側部分１０２側に大きくはみ出している。これは、従来例（図８）では、繰り返しの打球により、親指部のねじれが大きくなり、背側部分１０２がグリップに押し付けられるのに対し、本実施の形態（図７）では、これが抑制されているということを示している。なお、図８に示すように、腹側部分１０１と背側部分１０２の両方がグリップに押し付けられる場合、それらを縫着する縫着線１０３が親指とグリップとの間に介在することになるので、装着感が悪化する。本実施の形態（図７）に係るゴルフ用手袋では、繰り返しの打球による装着感の悪化が抑制される。
【００６２】
（実施の形態２）
図５，図６は、各々、実施の形態２に係るゴルフ用手袋における手甲部および手掌部を構成する本体部材、当該ゴルフ用手袋における親指部を構成する親指部材を示す図である。
【００６３】
図５，図６に示すように、本実施の形態に係るゴルフ用手袋１は、実施の形態１の変形例であって、手甲部２と手掌部３とを一体の部材（本体部材１Ａ）で構成するとともに、親指部１０における指の背側と腹側を一体の部材（親指部材１０Ｃ）で構成することを特徴とする。
【００６４】
本実施の形態においても、実施の形態１と同様に、『伸びやすい方向』『伸びにくい方向』の設定を行なうことで、上述の効果を得ることが可能である。ただし、手甲側と手掌側とを一体の部材で形成するため、手甲側と手掌側とで独立して上記方向を設定することはできない。したがって、表１中であればθ１＝４５度，θ２＝−４５度の例、表２中であればα１＝４５度，α２＝−４５度の例に限って実現可能である。
【００６５】
なお、上記以外の事項については、実施の形態１と同様であるので、詳細な説明は繰り返さない。
【００６６】
（実施の形態３）
図１４は、実施の形態３に係るゴルフ用手袋を示す図である。図１４に示すように、本実施の形態に係るゴルフ用手袋は、親指部において、上述した『伸びにくい方向』に沿ってステッチ１１（縫目）を設けたことを特徴とする。
【００６７】
手袋本体上にステッチを設けることで、手袋本体は、ステッチの延在方向には延びにくくなる。したがって、上記のように、『伸びにくい方向』に沿ってステッチを設けることで、親指部のねじれを効果的に抑制することができる。すなわち、ステッチ１１は、親指部のねじれを抑制する「ねじれ抑制部」として機能している。
【００６８】
なお、『伸びにくい方向』に沿うとは、『伸びにくい方向』に完全に平行になる場合と、『伸びにくい方向』に対して若干交差する（具体的には±５度程度の角度で交差する）場合とを含む。
【００６９】
図１４に示す例では、ステッチ１１は、親指の関節の位置を避けるように設けられている。関節部では指を曲げたときの伸縮が大きく、ここに伸びにくいステッチを配置することにより、装着者が違和感を感じやすくなるため、上記のように、関節部の位置を避けてステッチを配置している。
【００７０】
図１４に示す例では、ステッチ１１は、装着者の指の先端側において相対的に密に、装着者の指の根元側において相対的に疎に配置されている。ステッチにより装着者が感じる違和感を低減する観点からは、装着者の指の根元側においてステッチの間隔を広げておくことが好ましい。
【００７１】
しかし、親指部のねじれを効果的に抑制する観点からは、装着者の指の根元側において相対的に密に、装着者の指の先端側において相対的に疎に配置することが好ましい。このようにすることで、根元部のねじれを効果的に抑制することができるので、親指部全体のねじれをより効果的に抑制することが可能である。
【００７２】
ステッチ１１は、「ほつれ」防止の観点から、その端部が他の縫目上に位置するように設けることが好ましい。したがって、ステッチ１１を形成する場合は、典型的には、実施の形態１（図４）のように、親指部１０を手甲側と手掌側とに分けて形成し、手甲部の全幅にわたってステッチ１１を延在させる。しかし、図１５に示すように、ステッチ１１を連続させながら往復させることで、親指部の手甲側と手掌側とを一体の部材で形成しながらステッチ１１を設けることもできる。
【００７３】
なお、親指部のねじれを抑制する「ねじれ抑制部」は、上述のステッチ１１に限られない。たとえば、図１６に示すように、短冊状のテープ１２を親指部１０上に縫着したり（縫着線１２Ａ）、熱圧着テープを親指部１０上に設けたり、親指部１０上に樹脂プリントを施したりすることで、「ねじれ抑制部」を得ることもできる。すなわち、親指部１０上に手袋本体部材（親指部１０を構成する部材）よりも伸びにくい素材を重ねることにより「ねじれ抑制部」を形成することが可能である。
【００７４】
なお、テープ１２としては、例えば不織布、織物やニット含む織布などが考えられる。熱圧着テープとしては、熱可塑性樹脂フィルムや不織布、織物やニットを含む織布に熱可塑性樹脂を含浸させたものなどが考えられ、高周波ウェルダー、超音波ウェルダーなどを使用して親指袋に固定する。また加硫ゴムシートを熱融着することもできる。樹脂プリントとしてはポリウレタン、シリコンなどの樹脂を用いたプリントが利用可能である。
【００７５】
本願発明者らは、上記ステッチを設けることによる効果の確認を行なうため、上述した実施の形態１に係るゴルフ用手袋１（α１＝４５度、α２＝−４５度）にステッチ１１を設けた手袋（以下「手袋１」という。）と、実施の形態１に係るゴルフ用手袋（α１＝４５度、α２＝−４５度）であって、ステッチ１１を設けていない手袋（以下、「手袋２」という。）と、従来のゴルフ用手袋（α１＝α２＝０度）とを用いて、１５０回の試打を行なった後、親指部の先端の汚れに注目して各々の手袋を観察した。その結果を図１７（手袋１）、図１８（手袋２）および図１９（従来例）に示す。なお、図１７〜図１９は、先に述べた図７、図８とは異なる右利きのゴルファーが左手に装着して試打をした手袋の親指部先端を示す。
【００７６】
図１７〜図１９を参照して、手袋１（図１７）、手袋２（図１８）および従来例（図１９）ともに、腹側部分１０１に汚れが付着している。これは、親指部１０の腹側がグリップに押し付けられることによって付着するものである。
【００７７】
手袋１（図１７）、手袋２（図１８）および従来例（図１９）は、以下の点で異なる傾向を示す。すなわち、手袋１（図１７）においては、指の根元側において、縫着線１０３付近にほとんど汚れが見られない（図１７中のＡ部）のに対し、手袋２（図１８）においては、同じ部分（図１８中のＢ部）に若干の汚れが見られる。さらに、従来例においては、上記汚れは、腹側部分１０１のみならずから縫着線１０３を越えて背側部分１０２側に大きくはみ出している。このように、手袋１、手袋２ともに、従来例に係る手袋と比較して親指のねじれを抑制できているが、手袋１においては、手袋２と比較してさらに効果的にねじれを抑制できていることが分かる。
【００７８】
本願発明者らは、上記の「手袋１」、「手袋２」および従来の手袋（α１＝α２＝０度）を用いて、さらに他のゴルファーにより１５０回の試打を行なった後、親指部の先端の汚れに注目して各々の手袋を観察した。その結果を図２０（手袋１）、図２１（手袋２）および図２２（従来例）に示す。図２０〜図２２は、先に述べた図１７〜図１９とは異なる右利きのゴルファーが左手に装着して試打をした手袋の親指部先端を示す。
【００７９】
図２０〜図２２に示す例においても、手袋１（図２０）、手袋２（図２１）および従来例（図２２）ともに、腹側部分１０１に汚れが付着している。その一方で、手袋１（図２０）においては、指の根元側において、腹側部分１０１の縫着線１０３付近に汚れがない部分が見られる（図２０中のＣ部）のに対し、手袋２（図２１）においては、腹側部分１０１の全体にわたって汚れが付着している。さらに、従来例においては、上記汚れは、腹側部分１０１のみならずから縫着線１０３を越えて背側部分１０２側にはみ出している（図２２のＤ部）。図２０〜図２２の例からも、図１７〜図１９の例と同様に、手袋１、手袋２ともに、従来例に係る手袋と比較して親指のねじれを抑制できているが、手袋１にお
いては、手袋２と比較してさらに効果的にねじれを抑制できていることが分かる。
【００８０】
ところで、上記ステッチ１１は、生地の『伸びにくい方向』とは関係なく、それ単独で親指部のねじれを防止する効果を奏することも期待できる。したがって、ステッチ１１は、必ずしも生地の『伸びにくい方向』に沿って延在している必要はなく、生地の『伸びにくい方向』とステッチ１１の延在方向が任意の方向に交差する場合もあり得る。
【００８１】
（ゴルフ用以外の手袋）
実施の形態１ないし３に係るゴルフ用手袋１の考え方は、ゴルフ用以外のスポーツ用手袋にも応用できるものである。
【００８２】
たとえば、野球のように、グリップする対象に対して指が垂直に交差する場合は、上記θ１＝９０度，θ２＝０度とすることも考えられる。θ１＝９０度とすることで、甲側は指の長手方向に伸びやすくなるため、指曲げが行ないやすくなるとともに、繰り返しの使用に伴なう手甲周りの伸びを抑制することができる。また、掌側では、指の長手方向に伸びにくくなるため、指入れがしやすい。
【００８３】
また、たとえば、ラケットを用いるスポーツのように、親指の屈曲性が強く求められる場合は、たとえばα１＝９０度、α２＝４５度とすることもできる。α１＝９０度とすることで、甲側は指の長手方向に伸びやすくなるため、親指の指曲げが行ないやすくなる。他方、α２＝４５度とすることで、上述したねじり剛性向上に寄与し得る。
【００８４】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００８５】
１  ゴルフ用手袋、１Ａ  本体部材、２  手甲部、２Ａ  手甲部材、３  手掌部、３Ａ
手甲部材、４  襠材、１０  親指部、１０Ａ，１０Ｂ，１０Ｃ  親指部材、１１  ステッチ、１２  テープ、１２Ａ  縫着線、２０  人差指部、３０  中指部、４０  薬指部、５０  小指部、１０１  腹側部分、１０２  背側部分、１０３  縫着線。
【図１】
0005466279.tif 000004
【図２】
0005466279.tif 000005
【図３】
0005466279.tif 000006
【図４】
0005466279.tif 000007
【図５】
0005466279.tif 000008
【図６】
0005466279.tif 000009
【図９】
0005466279.tif 000010
【図１０】
0005466279.tif 000011
【図１１】
0005466279.tif 000012
【図１２】
0005466279.tif 000013
【図１３】
0005466279.tif 000014
【図１４】
0005466279.tif 000015
【図１５】
0005466279.tif 000016
【図１６】
0005466279.tif 000017
【図７】
0005466279.tif 000018
【図８】
0005466279.tif 000019
【図１７】
0005466279.tif 000020
【図１８】
0005466279.tif 000021
【図１９】
0005466279.tif 000022
【図２０】
0005466279.tif 000023
【図２１】
0005466279.tif 000024
【図２２】
0005466279.tif 000025